(57)【要約】【課題】電源ユニットが故障した場合であっても、表示を行うことができる可能性を向上することが可能な技術を提供する。【解決手段】表示装置は、第１映像信号の輝度を補正する補正部と、表示部と、表示部に電流を供給する複数の電源ユニットと、複数の電源ユニットのそれぞれの故障を検出する故障検出部とを備える。表示部は、補正部によって輝度が補正された第１映像信号である第２映像信号に基づく映像を表示する。補正部は、故障検出部での故障検出結果に基づいて第１映像信号の輝度を補正する。【選択図】図１
2019211714.tif 000002
【特許請求の範囲】
【請求項１】
第１映像信号の輝度を補正する補正部と、
前記補正部によって前記輝度が補正された前記第１映像信号である第２映像信号に基づく映像を表示する表示部と、
前記表示部に電流を供給する複数の電源ユニットと、
前記複数の電源ユニットのそれぞれの故障を検出する故障検出部と
を備え、
前記補正部は、前記故障検出部での故障検出結果に基づいて前記輝度を補正する、表示装置。
【請求項２】
請求項１に記載の表示装置であって、
前記故障検出結果は、前記複数の電源ユニットのうちの故障している電源ユニットの台数を含む、表示装置。
【請求項３】
請求項１及び請求項２のいずれか一つに記載の表示装置であって、
前記補正部は、
前記第１映像信号から輝度情報を取得し、
前記故障検出結果及び前記輝度情報に基づいて前記輝度を補正する、表示装置。
【請求項４】
請求項３に記載の表示装置であって、
前記輝度情報は、前記第１映像信号の平均輝度に関する情報を含む、表示装置。
【請求項５】
映像信号の輝度を補正する輝度補正方法であって、
前記輝度が補正された前記映像信号に基づく映像を表示する表示部に電流を供給する複数の電源ユニットのそれぞれの故障を検出する第１工程と、
前記第１工程での故障検出結果に基づいて前記輝度を補正する第２工程と
備える、輝度補正方法。
【発明の詳細な説明】
【技術分野】
【０００１】
本発明は、映像表示に関する。
【背景技術】
【０００２】
特許文献１には、複数の電源ユニットを備える冗長電源装置が記載されている。
【先行技術文献】
【特許文献】
【０００３】
【特許文献１】特開２０００−２８４８６３号公報
【発明の概要】
【発明が解決しようとする課題】
【０００４】
複数の電源ユニットを用いて表示装置を稼働する場合、当該複数の電源ユニットのいずれかが故障したとき、表示装置が表示を行えない可能性がある。
【０００５】
そこで、本発明は上記の点に鑑みてなされたものであり、電源ユニットが故障した場合であっても、表示を行うことができる可能性を向上することが可能な技術を提供することを目的とする。
【課題を解決するための手段】
【０００６】
本発明に係る表示装置の一態様は、第１映像信号の輝度を補正する補正部と、前記補正部によって前記輝度が補正された前記第１映像信号である第２映像信号に基づく映像を表示する表示部と、前記表示部に電流を供給する複数の電源ユニットと、前記複数の電源ユニットのそれぞれの故障を検出する故障検出部とを備え、前記補正部は、前記故障検出部での故障検出結果に基づいて前記輝度を補正する。
【０００７】
また、本発明に係る輝度補正方法の一態様は、映像信号の輝度を補正する輝度補正方法であって、前記輝度が補正された前記映像信号に基づく映像を表示する表示部に電流を供給する複数の電源ユニットのそれぞれの故障を検出する第１工程と、前記第１工程での故障検出結果に基づいて前記輝度を補正する第２工程と備える。
【発明の効果】
【０００８】
本発明によれば、電源ユニットが故障した場合であっても、表示を行うことができる可能性が向上する。
【図面の簡単な説明】
【０００９】
【図１】表示装置の構成の一例を示す図である。
【図２】表示装置の動作の一例を説明するための図である。
【図３】補正部の構成の一例を示す図である。
【図４】補正部の動作の一例を示すフローチャートである。
【図５】対応表の一例を示す図である。
【図６】補正部の構成の一例を示す図である。
【図７】補正部の動作の一例を示すフローチャートである。
【図８】対応表の一例を示す図である。
【図９】補正係数決定部の動作の一例を示すフローチャートである。
【発明を実施するための形態】
【００１０】
＜実施の形態１＞
図１は、本実施の形態に係る表示装置１００の構成の一例を示すブロック図である。表示装置１００は、例えば、ＬＥＤ表示装置であって、マトリクス状に配置された複数のＬＥＤ（Light Emitting Diode）を備える。表示装置１００は、個々のＬＥＤの点灯を制御することによって映像を表示することができる。映像とは、静止画像及び動画像の両方を含む概念である。
【００１１】
表示装置１００は、静止画像及び動画像の少なくとも一方を表示することが可能である。表示装置１００は、様々な映像を表示することができる。例えば、表示装置１００は、自然画像を表示したり、アニメーション等の動画像を表示したりすることが可能である。表示装置１００は、例えば屋内で使用される。表示装置１００は、屋外で使用されてもよい。表示装置１００は、様々な用途で使用されることができる。例えば、表示装置１００は、広告表示のために使用されたり、屋内の人等の監視のために使用されたりすることができる。
【００１２】
図１に示されるように、表示装置１００は、入力端子１と、処理部２と、補正部３と、駆動部４と、表示部５と、故障検出部６と、電源部７とを備える。
【００１３】
入力端子１には、表示装置１００の外部からの映像信号２００が入力される。入力端子１には、例えば、（１９２０×１０８０）個の画素を備える映像を示す映像信号２００が入力される。映像信号２００は、映像信号データ２００あるは映像データ２００とも言える。
【００１４】
処理部２は、入力端子１に入力された映像信号２００に対して、ガンマ補正及び有効領域の切り出し等を含む所定処理を行う。処理部２は、所定処理後の映像信号２００を補正部３に出力する。処理部２は処理回路とも言える。以後、所定処理後の映像信号２００を映像信号２０１と呼ぶ。
【００１５】
補正部３は、故障検出部６での後述する故障検出結果２１０に基づいて、処理部２から出力される映像信号２０１の輝度を補正する。言い換えれば、補正部３は、故障検出部６での故障検出結果２１０に基づいて、映像信号２０１に基づく映像（言い換えれば、映像信号２０１が示す映像）の輝度を補正する。補正部３は補正回路とも言える。以後、輝度が補正された映像信号２０１を補正後映像信号２０２あるいは映像信号２０２と呼ぶことがある。また、映像信号２００，２０１，２０２を特に区別する必要が無い場合には、それぞれを符号なしで映像信号と呼ぶことがある。
【００１６】
表示部５は、駆動部４によって駆動されることによって、補正後映像信号２０２に基づく映像（言い換えれば、補正後映像信号２０２が示す映像）を表示する。表示部５では、例えば、その映像表示エリアに、複数の画素部５０がマトリックス状に配列されている。各画素部５０は、例えば、発光色が互いに異なる３個のＬＥＤで構成される。画素部５０を構成する３個のＬＥＤは、赤色（Ｒ）のＬＥＤと、緑色（Ｇ）のＬＥＤと、青色（Ｂ）のＬＥＤとで構成される。図１の例では、表示部５は、（４×４）個の画素部５０、つまり１６個の画素部５０を備えている。１つの画素部５０が、補正後映像信号２０２に基づく映像の１つの画素を表示する。なお、表示部５での画素部５０の数及び配列は図１の例には限られない。
【００１７】
駆動部４は、補正部３から出力される補正後映像信号２０２に基づいて表示部５を駆動することによって、補正後映像信号２０２に基づく映像を表示部５に表示させる。駆動部４は、補正後映像信号２０２に基づいて、表示部５が備える各ＬＥＤを例えばＰＷＭ（Pulse Width Modulation）方式で駆動することで、表示部５が表示する映像の輝度を調整することが可能である。駆動部４は駆動回路とも言える。
【００１８】
図２は、駆動部４の動作を説明するための図である。図２の上側には、ＰＷＭの基本周期となる映像信号の１フレーム期間３００が示されている。図２の中央部及び下側には、駆動部４が表示部５のＬＥＤに与える電流パルス４００の一例が示されている。図２の中央部には、デューティ比が１００％の電流パルス幅４１０を有する電流パルス４００が示されている。図２の下側には、デューティ比が７５％の電流パルス幅４１０を有する電流パルス４００が示されている。デューティ比が１００％の電流パルス幅４１０は、１フレーム期間３００以下となっている。
【００１９】
デューティ比１００％の電流パルス４００がＬＥＤに与えられる場合と比較して、デューティ比７５％の電流パルス４００がＬＥＤに与えられる場合には、１フレーム期間３００におけるＬＥＤの通電時間が短いため、ＬＥＤの輝度が小さくなる。駆動部４は、１フレーム期間３００内での電流パルス４００のデューティ比を変えることで、ＬＥＤの輝度を調整する。また、デューティ比１００％の電流パルス４００がＬＥＤに与えられる場合と比較して、デューティ比７５％の電流パルス４００がＬＥＤに与えられる場合には、ＬＥＤの通電時間が短いため、ＬＥＤの消費電力が低減する。
【００２０】
このように、ＰＷＭのデューティ比の大小は、ＬＥＤの輝度とＬＥＤでの電力消費量とに関係する。したがって、駆動部４に入力される映像信号２０２の輝度が小さいほど、デューティ比は小さく、ＬＥＤの消費電力は小さくなる。一方で、映像信号２０２の輝度が大きいほど、デューティ比は大きく、ＬＥＤの消費電力は大きくなる。すなわち、ＬＥＤの消費電力と、ＬＥＤの輝度と、デューティ比とは、比例関係にある。例えば、デューティ比が７５％でＬＥＤがＰＷＭ方式で駆動される場合の消費電力及び輝度は、デューティ比１００％でＬＥＤがＰＷＭ方式で駆動される場合の消費電力及び輝度の７５％となる。駆動部４は、それに入力される映像信号２０２の輝度に応じて、表示部５のＬＥＤに与える電流パルス４００のデューティ比を制御する。
【００２１】
ここで、映像信号に含まれる１つの画素値は、例えば、Ｒ成分、Ｇ成分及びＢ成分の３つの色成分で構成されている。１つの画素値を構成する各色成分は、例えば８ビットで表現され、０〜２５５の範囲内の値となる。したがって、各色成分は２５６階調を有している。
【００２２】
駆動部４は、それに入力される映像信号２０２に含まれる画素値のある色成分が最大値（つまり２５５）を示すとき、表示部５での当該ある色成分に対応するＬＥＤに与える電流パルスのデューティ比を１００％に設定する。これにより、色成分が最大値を示す場合、当該色成分に対応するＬＥＤの輝度は最大となる。
【００２３】
電源部７は、駆動部４の電源を駆動部４に出力することが可能である。電源部７は電源回路とも言える。電源部７は、表示部５に電流を供給する複数の電源ユニット８を備える。本例では、電源部７は４つの電源ユニット８ａ〜８ｄを備える。電源ユニット８ａ〜８ｄのそれぞれは、駆動部４が表示部５を駆動するための電流を駆動部４に供給する。駆動部４が電源ユニット８ａ〜８ｄから供給される電流を表示部５に供給することによって、電源ユニット８ａ〜８ｄから表示部５に電流が供給される。電源ユニット８ａ〜８ｄには、例えば商用電源が供給される。なお、電源ユニット８ａ〜８ｄはバッテリを備えてもよい。
【００２４】
本例では、電源ユニット８ａ〜８ｄの電流供給能力は互いに等しい。したがって、電源ユニット８ａ〜８ｄのそれぞれの電流供給能力は、電源ユニット８ａ〜８ｄの電流供給能力の総和の１／４である。また、電源ユニット８ａ〜８ｄの電流供給能力の総和は、言い換えれば電源部７全体での電流供給能力は、表示部５のすべてのＬＥＤに与えられる電流パルス４００のデューティ比が１００％となるように駆動部４が表示部５を駆動するために必要な電流を電源部７が駆動部４に供給できるように設定されている。なお、電源部７が備える複数の電源ユニット８の数は、４つ未満であってもよいし、５つ以上であってもよい。
【００２５】
故障検出部６は、電源ユニット８ａ〜８ｄのそれぞれについての故障を検出する。例えば、故障検出部６は、電源ユニット８の出力を監視し、当該出力に基づいて、当該電源ユニット８の故障を検出する。故障検出部６は、電源ユニット８の出力に基づいて、当該電源ユニット８が駆動部４に電流を供給できないと判定すると、当該電源ユニット８が故障していると判定する。故障検出部６は、電源ユニット８ａ〜８ｄについての故障検出結果２１０を補正部３に出力する。例えば、故障検出部６は、電源ユニット８ａ〜８ｄのうちの故障している電源ユニット８の台数を含む故障検出結果２１０を補正部３に出力する。故障検出部６は、電源ユニット８ａ〜８ｄの故障検出を繰り返し実行し、故障検出を実行するたびに、故障検出結果２１０を補正部３に出力する。以後、故障している電源ユニット８の台数を単に故障台数と呼ぶことがある。
【００２６】
補正部３は、処理部２からの映像信号２０１の輝度を、故障検出部６から出力される故障検出結果２１０に基づいて補正する補正処理を行う。そして、補正部３は、補正処理後の映像信号２０１、つまり補正後映像信号２０２を駆動部４に出力する。駆動部４は、電源部７から供給される電流（電源）に基づいて表示部５を駆動することによって、補正後映像信号２０２に基づく映像（言い換えれば補正後映像信号２０２が示す映像）を表示部５に表示させる。
【００２７】
図３は補正部３の構成の一例を示すブロック図である。図３に示されるように、補正部３は、補正係数決定部３１及び輝度補正部３２を備える。補正係数決定部３１は、故障検出部６からの故障検出結果２１０に基づいて、映像信号２０１の輝度を補正するための補正係数Ｘ１を決定する。輝度補正部３２は、補正係数決定部３１で決定された補正係数Ｘ１に基づいて、映像信号２０１の輝度を補正する。補正係数Ｘ１は、映像信号２０１の輝度を下げる割合を示している。
【００２８】
本例では、補正部３は、例えば、映像信号２０１の１フレームごとに補正処理を実行する。図４は、あるフレームについての補正処理の一例を示すフローチャートである。補正部３は、図４に示される補正処理を各フレームについて実行する。
【００２９】
以後、映像信号に含まれる１フレーム分の映像データをフレーム画像信号と呼ぶことがある。また、フレーム画像信号が示す映像、つまり１フレーム分の映像をフレーム画像と呼ぶことがある。１フレーム分の映像は、１フレーム分の画像であると言える。また、説明の対象のフレーム画像信号を対象フレーム画像信号と呼び、それが示す画像を対象フレーム画像と呼ぶことがある。
【００３０】
図４に示されるように、ステップｓ１において、補正部３の補正係数決定部３１は、故障検出部６から最新の故障検出結果２１０を取得する。次に、ステップｓ２において、補正係数決定部３１は、ステップｓ１で取得した故障検出結果２１０に基づいて、対象フレーム画像信号の輝度の補正で使用される補正係数Ｘ１を決定する。
【００３１】
本例では、補正係数決定部３１は、故障台数の値と補正係数Ｘ１の値とが対応付けられた対応表５００を記憶している。図５は対応表５００の一例を示す図である。図５に示される対応表５００では、故障台数０，１，２，３，４に対して、補正係数１．００，０．７５，０．５０，０．２５，０．００がそれぞれ対応付けられている。なお、対応表５００は図５の例には限られない。
【００３２】
ステップｓ２において、補正係数決定部３１は、故障検出結果２１０と対応表５００とに基づいて、対象フレーム画像信号の輝度の補正に使用される補正係数Ｘ１を決定する。具体的には、補正係数決定部３１は、対応表５００において、故障検出結果２１０に含まれる故障台数の値に対応する補正係数Ｘ１の値を特定し、特定した値を、対象フレーム画像信号の補正に使用される補正係数Ｘ１として輝度補正部３２に出力する。
【００３３】
ステップｓ２の後、ステップｓ３において、輝度補正部３２は、補正係数決定部３１からの補正係数Ｘ１に基づいて、対象フレーム画像信号の輝度を補正する。具体的には、輝度補正部３２は、対象フレーム画像信号に含まれる各画素値の３つの色成分（Ｒ成分、Ｇ成分及びＢ成分）のそれぞれに対して、補正係数Ｘ１を乗算する。これにより、対象フレーム画像信号の輝度（言い換えれば、対象フレーム画像の輝度）が補正される。輝度が補正された対象フレーム画像信号は、補正後映像信号２０２に含まれる。
【００３４】
ステップｓ３が実行されると、対象フレーム画像信号についての補正処理が終了する。補正部３は、図４に示される補正処理を、映像信号２０１に含まれる各フレーム画像信号に対して行う。
【００３５】
本例では、処理部２、補正部３及び故障検出部６のそれぞれは、その機能の実現にソフトウェアが不要なハードウェア回路によって実現されている。処理部２、補正部３及び故障検出部６のそれぞれは、例えば、単一回路、複合回路、プログラム化されたプロセッサ、並列プログラム化されたプロセッサ、ＡＳＩＣ（Application Specific Integrated Circuit）及びＦＰＧＡ（field-programmable gate array）の少なくとも一つで構成されてもよい。
【００３６】
また、処理部２、補正部３及び故障検出部６の少なくとも一つは、プロセッサがプログラムを実行することによって実現される機能ブロックで実現されてもよい。プロセッサには、ＣＰＵ（Central Processing Unit）が含まれてもよいし、ＤＳＰ（Digital Signal Processor）が含まれてもよい。また、処理部２、補正部３及び故障検出部６の少なくとも一つは、プロセッサがプログラムを実行することによって実現される機能ブロックと、その機能の実現にソフトウェアが不要なハードウェア回路との両方によって実現されてもよい。
【００３７】
本実施の形態では、以上のような補正処理が実行されることによって、電源ユニット８が故障した場合であっても、表示装置１００が表示を行うことができる可能性が向上する。以下に、この点について詳細に説明する。
【００３８】
例えば、電源ユニット８ａ〜８ｄのいずれもが故障していない場合を考える。この場合、故障検出結果２１０に含まれる故障台数は０となる。補正係数決定部３１は、対応表５００に基づいて、補正係数１．００を輝度補正部３２に出力する。輝度補正部３２は、補正係数決定部３１からの補正係数Ｘ１を、映像信号２０１のフレーム画像信号に含まれる各画素値の各色成分に対して乗算する。補正係数Ｘ１が１．００であるため、補正後映像信号２０２の輝度は映像信号２０１の輝度の１００％となり、補正後映像信号２０２は映像信号２０１から変化しない。したがって、故障台数が０の場合、表示部５には、処理部２が出力する映像信号２０１の輝度、つまり本来の輝度で映像が表示される。映像信号２０１に含まれる画素値のある色成分が最大値を示す場合、補正後映像信号２０２に含まれる、同じ画素値の同じ色成分も最大値を示す。よって、映像信号２０１に含まれる画素値のある色成分が最大値を示す場合、駆動部４が表示部５での当該ある色成分に対応するＬＥＤに与える電流パルスのデューティ比は１００％となる。
【００３９】
次に、電源ユニット８ａ〜８ｄのいずれか１台が故障した場合、つまり故障台数が１の場合を考える。電源ユニット８ａ〜８ｄの１台が故障して電流供給が不可能になった場合、すなわち４台の電源ユニット８ａ〜８ｄのうち、電流供給可能な電源ユニットが３台の場合、電源ユニット８ａ〜８ｄの電源供給能力の総和は、故障台数が０の場合と比較して３／４（７５％）となる。したがって、表示部５での消費電流が最大時の７５％を超える場合には、電源部７からの表示部５への供給電流が不足する可能性がある。その結果、表示装置１００が表示を行えなくなる可能性がある。
【００４０】
本例では、故障台数が１の場合、補正係数決定部３１は、対応表５００に基づいて、補正係数０．７５を輝度補正部３２に出力する。輝度補正部３２は、補正係数決定部３１からの補正係数Ｘ１を、映像信号２０１のフレーム画像信号に含まれる各画素値の各色成分に対して乗算する。これにより、補正後映像信号２０２の輝度は、映像信号２０１の輝度の７５％となる。その結果、映像信号２０１に含まれる画素値のある色成分が最大値を示す場合、駆動部４が、表示部５での当該ある色成分に対応するＬＥＤに与える電流パルスのデューティ比は７５％となる。上述のように、電流パルス４００のデューティ比は消費電力に比例するため、駆動部４が表示部５を駆動するために必要とする電流量は、故障台数が０の場合と比較して７５％となる。これにより、表示部５での消費電流が、電源ユニット８ａ〜８ｄの電流供給能力の総和を超える可能性が低減する。その結果、駆動部４が表示部５を駆動できなくなる可能性を低減することができる。よって、電源ユニット８が故障した場合であっても、表示装置１００が表示を行うことができる可能性が向上する。故障台数が１の場合、表示部５には、処理部２が出力する映像信号２０１の輝度、つまり本来の輝度の７５％の輝度で映像が表示される。
【００４１】
電源ユニット８ａ〜８ｄのいずれか２台が故障した場合、つまり故障台数が２の場合には、補正係数決定部３１は、補正係数０．５０を輝度補正部３２に出力する。そして、輝度補正部３２は、映像信号２０１のフレーム画像信号に含まれる各画素値の各色成分に対して０．５０を乗算する。これにより、補正後映像信号２０２の輝度は、映像信号２０１の輝度の５０％となる。その結果、映像信号２０１に含まれる画素値のある色成分が最大値を示す場合、駆動部４が、表示部５での当該ある色成分に対応するＬＥＤに与える電流パルスのデューティ比は５０％となる。よって、故障台数が２の場合であっても、表示部５での消費電流が、電源ユニット８ａ〜８ｄの電流供給能力の総和を超える可能性が低減する。その結果、電源ユニット８が故障した場合であっても、表示装置１００が表示を行うことができる可能性が向上する。故障台数が２の場合には、表示装置１００は、本来の輝度の５０％の輝度で映像を表示しながら稼働することができる。
【００４２】
電源ユニット８ａ〜８ｄのいずれか３台が故障した場合、つまり故障台数が３の場合には、補正係数決定部３１は、補正係数０．２５を輝度補正部３２に出力する。そして、輝度補正部３２は、映像信号２０１のフレーム画像信号に含まれる各画素値の各色成分に対して０．２５を乗算する。これにより、補正後映像信号２０２の輝度は、映像信号２０１の輝度の２５％となる。故障台数が３の場合には、表示装置１００は、本来の輝度の２５％の輝度で映像を表示しながら稼働することができる。
【００４３】
電源ユニット８ａ〜８ｄのすべてが故障した場合、つまり故障台数が４の場合には、補正係数決定部３１は、補正係数０．００を輝度補正部３２に出力する。輝度補正部３２は、映像信号２０１のフレーム画像信号に含まれる各画素値の各色成分に対して０を乗算する。これにより、電源部７から電流が供給されない駆動部４には映像信号が入力されなくなる。よって、表示部５の表示は停止し、表示装置１００の稼働が停止する。
【００４４】
なお上記の例では、補正部３は、故障台数に応じて映像信号２０１の輝度を補正しているが、電源ユニット８の故障の有無に応じて映像信号２０１を補正してもよい。例えば、故障台数が０の場合、上記のように補正係数Ｘ１を１．００とする。そして、複数の電源ユニット８ａ〜８ｄのうち少なくとも１台が故障していれば、故障台数にかかわらず、補正係数Ｘ１を例えば０．２５とする。この場合であっても、映像信号２０１の輝度を補正しない場合と比較して、表示装置１００が表示を行えなくなる可能性を低減することができる。
【００４５】
以上のように、本実施の形態に係る表示装置１００では、補正部３が、故障検出部６での故障検出結果２１０に基づいて映像信号２０１の輝度を補正することから、電源ユニット８が故障した場合であっても、表示装置１００が表示を行うことができる可能性を向上することができる。
【００４６】
また、例えば、表示装置１００が屋内の人等の監視のために使用される場合には、表示装置１００を２４時間稼働することが考えられる。本実施の形態では、電源ユニット８が故障した場合であっても、表示装置１００の稼働を継続することができることから、人等の監視を継続して実行することができる。
【００４７】
また、本実施の形態では、複数の電源ユニット８の一部が故障した場合に、正常動作する電源ユニット８に負荷がかかりすぎる可能性を低減することができる。よって、表示装置１００を、監視システム等のシステムに使用した場合であっても、電源ユニット８に負荷がかかりすぎて当該システム全体が停止する可能性を低減することができる。
【００４８】
また、本例のように、故障検出結果２１０に故障台数が含まれる場合には、補正部３は、故障台数に応じて映像信号２０１の輝度を補正することができることから、表示装置１００が表示できなくなる可能性をより確実に低減することができる。
【００４９】
＜実施の形態２＞
上述の実施の形態１に係る表示装置１００では、故障台数が１以上の場合には、映像信号２００が示す映像の内容に関係なく、表示部５に表示される映像の輝度が、本来の輝度の７５％以下となる。
【００５０】
一方で、映像信号２０１のフレーム画像を構成する全画素が最大輝度とならないことがある。この場合、電源ユニット８ａ〜８ｄの供給可能電流が、表示部５の消費電流に対して余裕がある状態で、表示装置１００が稼動する可能性がある。
【００５１】
本実施の形態では、電源ユニット８が故障した場合であっても、映像の表示を行うことができる可能性が向上し、さらに、表示する映像の輝度の低下量を低減することが可能となるような表示装置１００について説明する。
【００５２】
本実施の形態に係る表示装置１００は、上述の実施の形態１に係る表示装置１００において、補正部３の構成が異なるものである。図６は、本実施の形態に係る補正部３の構成の一例を示す図である。図６に示されるように、補正部３は、輝度情報取得部３３と、補正係数決定部３４と、輝度補正部３５とを備える。
【００５３】
本実施の形態では、補正部３は、映像信号２０１の輝度を、故障検出結果２１０と映像信号２０１の輝度情報とに基づいて補正する補正処理を行う。図７は、本実施の形態に係る補正処理の一例を示すフローチャートである。
【００５４】
ステップｓ１１において、補正部３の輝度情報取得部３３は、映像信号２０１から輝度情報を取得する。輝度情報としては、例えば平均輝度率が採用される。平均輝度率は、映像信号２０１の平均輝度に関する情報である。具体的には、平均輝度率は、映像信号２０１に含まれるフレーム画像信号が示すフレーム画像の平均輝度についての、当該平均輝度が取り得る範囲の最大値に対する比率を意味する。ステップｓ１１において、輝度情報取得部３３は、映像信号２０１の対象フレーム画像信号についての平均輝度率を求める。
【００５５】
ここで、対象フレーム画像の総画素数をｎｕｍとする。そして、対象フレーム画像を構成する複数の画素に対して、１からｎｕｍまでの番号を付与した場合のｉ（１≦ｉ≦ｎｕｍ）番目の画素の画素値を構成するＲ成分、Ｇ成分及びＢ成分を、それぞれ、ＺＲｉ、ＺＧｉ及びＺＢｉとする。対象フレーム画像の平均輝度Ｙ１は以下の式（１）で表される。
【００５６】
【数１】
2019211714.tif 000003
【００５７】
上述のように、画素値を構成するＲ成分、Ｇ成分及びＢ成分のそれぞれは２５６階調を有している。したがって、平均輝度Ｙ１が取り得る範囲の最大値は２５５である。よって、平均輝度率Ｙ２は、以下の式（２）で表される。
【００５８】
【数２】
2019211714.tif 000004
【００５９】
ステップｓ１１において、輝度情報取得部３３は、式（１）及び（２）を用いて、対象フレーム画像についての平均輝度率Ｙ２を求め、求めた平均輝度率Ｙ２を補正係数決定部３４に出力する。
【００６０】
ステップｓ１１の後、ステップｓ１２において、補正係数決定部３４は、故障検出部６から最新の故障検出結果２１０を取得する。そして、ステップｓ１３において、補正係数決定部３４は、取得した故障検出結果２１０と、輝度情報取得部３３で取得された輝度情報とに基づいて、補正係数Ｘ１を決定する。本例では、補正係数決定部３４は、故障検出結果２１０及び平均輝度率Ｙ２に基づいて補正係数Ｘ１を決定する。
【００６１】
ステップｓ１３では、まず、補正係数決定部３４は、故障検出結果２１０に基づいて、電源ユニット８の稼働率を示す電源稼働率を求める。補正係数決定部３４には、例えば、故障台数の値と電源稼働率の値とが対応付けられた対応表６００が記憶されている。図８は対応表６００の一例を示す図である。図８に示される対応表６００では、故障台数０，１，２，３，４に対して、電源稼働率１．００，０．７５，０．５０，０．２５，０．００がそれぞれ対応付けられている。なお、対応表６００は図８の例には限られない。
【００６２】
ステップｓ１３において、補正係数決定部３４は、故障検出結果２１０と対応表６００に基づいて、現在の電源稼働率を求める。具体的には、補正係数決定部３４は、対応表６００において、故障検出結果２１０に含まれる故障台数の値に対応する電源稼働率の値を特定する。そして、補正係数決定部３４は、特定した値を現在の電源稼働率Ｙ３とする。
【００６３】
ステップｓ１３において、補正係数決定部３４は、現在の電源稼働率Ｙ３を求めると、求めた電源稼働率Ｙ３と平均輝度率Ｙ２とに基づいて補正係数Ｘ１を決定する決定処理を行う。図９はステップｓ１３で実行される決定処理の一例を示すフローチャートである。
【００６４】
図９に示されるように、ステップｓ２１において、補正係数決定部３４は、電源稼働率Ｙ３が平均輝度率Ｙ２よりも大きいか否かを判定する。ステップｓ２１においてＹＥＳと判定されると、補正係数決定部３４は、ステップｓ２２において、補正係数Ｘ１を１．００に設定する。平均輝度率Ｙ２よりも電源稼働率Ｙ３の方が大きい場合、映像信号２０１の輝度を低下させなくても、電源ユニット８ａ〜８ｄの電流供給量が足りている可能性がある。そのため、補正係数１が１．００に設定される。
【００６５】
一方で、ステップｓ２１においてＮＯと判定されると、補正係数決定部３４は、ステップｓ２３において、以下の式（３）を用いて補正係数Ｘ１を決定する。
【００６６】
【数３】
2019211714.tif 000005
【００６７】
式（３）に示されるように、電源稼働率Ｙ３を平均輝度率Ｙ２で除算して得られる値が補正係数Ｘ１に設定される。平均輝度率Ｙ２が電源稼働率Ｙ３以上の場合には、映像信号２０１の輝度を低下させないと、電源ユニット８ａ〜８ｄの電流供給量が足らなくなる可能性がある。Ｘ１＝Ｙ３／Ｙ２とすることによって、電源ユニット８ａ〜８ｄの電流供給量が足らなくなる可能性を低減しつつ、映像信号２０１の輝度の低下量を減少することができる。
【００６８】
ステップｓ１３において決定処理が終了すると、ステップｓ１４において、輝度補正部３５は、上記と同様にして、補正係数決定部３４で決定された補正係数Ｘ１を、対象フレーム画像信号の各画素値の各色成分に対して乗算して、対象フレーム画像の輝度を補正する。
【００６９】
ステップｓ１４が実行されると、対象フレーム画像信号についての補正処理が終了する。補正部３は、図７に示される補正処理を、映像信号２０１に含まれる各フレーム画像信号に対して行う。
【００７０】
なお、決定処理のステップｓ２１においては、電源稼働率Ｙ３が平均輝度率Ｙ２以上であるか否かが判定されてもよい。ステップｓ２１でＹＥＳと判定されるとステップｓ２２が実行され、ステップｓ２１でＮＯと判定されるとステップｓ２３が実行される。
【００７１】
また、輝度情報取得部３３で取得される輝度情報は、映像信号２０１の輝度に関する情報であれば、平均輝度率以外の情報であってもよい。また、補正係数決定部３４が故障検出結果２１０及び輝度情報に基づいて補正係数Ｘ１を決定する方法は、上記の例には限られない。
【００７２】
以上のように、本実施の形態に係る表示装置１００は、故障検出結果２１０と、映像信号２０１の輝度情報とに基づいて、映像信号２０１の輝度を補正することから、電源ユニット８が故障した場合であっても、表示を行うことができる可能性が向上し、さらに表示する映像の輝度の低下量を低減することが可能となる。よって、例えば、映像信号２０１が示す映像が暗い場合に、表示映像がさらに暗くなって表示映像の視認性が低下するといった状況が発生する可能性を低減することができる。
【００７３】
なお上述の例では、表示装置１００は、ＬＥＤ表示装置であったが、それ以外の表示装置であってもよい。つまり、表示部５の表示素子はＬＥＤ以外であってもよい。
【００７４】
また、本発明は、その発明の範囲内において、各実施の形態を自由に組み合わせたり、各実施の形態を適宜、変形、省略することが可能である。
【符号の説明】
【００７５】
３  補正部、５  表示部、６  故障検出部、８，８ａ〜８ｄ  電源ユニット、１００  表示装置、２０１，２０２  映像信号。
【図１】
2019211714.tif 000006
【図２】
2019211714.tif 000007
【図３】
2019211714.tif 000008
【図４】
2019211714.tif 000009
【図５】
2019211714.tif 000010
【図６】
2019211714.tif 000011
【図７】
2019211714.tif 000012
【図８】
2019211714.tif 000013
【図９】
2019211714.tif 000014